(57)【要約】      （修正有）【課題】分離式クーラーの静音排水システムを提供する。【解決手段】室外機１０、室外機１０と接続された一組或いは一組以上の室内空気調和機、排水排出用の排水装置３０を包含し、室外機１０内に圧縮機９０システムと冷却用のファン８０が設けられ、且つファン８０の伝動軸８２が外向きに凸設されて排水装置３０と組み合わされ、排水装置３０の抽水動作に必要な動力をファンモータ８１が提供し、排水装置３０の構成が簡易化され、並びに電力節約を達成する。【選択図】図７
0003146085.tif 000002
【実用新案登録請求の範囲】
【請求項１】
室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該排水装置が該ファンの伝動軸と結合されて、その抽水動作に必要な動力がファンモータにより提供され、これにより排水装置の構造が簡易化され、並びに電力を節約することを特徴とする、分離式クーラーの排水システム。
【請求項２】
請求項１記載の分離式クーラーの排水システムにおいて、排水装置と室内空気調和機の間に排水管が設けられ、必要により室内空気調和機との間に一対一或いは一対多の接続関係を形成し、該排水装置は装置本体、少なくとも一つのピストンセット、気室板体、及び、気室封鎖カバーを包含し、該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、該気室板体及び気室封鎖カバーが相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、且つ気室封鎖カバーにあって、これら入気孔と出気孔に対応する部分に、別に入水接続部と出水接続部が凸設されて外向きに延伸され、それぞれ排水管の一端と嵌合され、排水管の別端が室内空気調和機に接続され、これによりピストンセットがファンの運転により動作する時、ポンプ式圧縮動力を発生し、これにより室内空気調和機の発生した凝結水を外向きに排出することを特徴とする、分離式クーラーの排水システム。
【請求項３】
請求項２記載の分離式クーラーの排水システムにおいて、排水装置と室内空気調和機の間が一対一の構造である時、偏心駆動軸が偏心孔を具えたクランクシャフトとクランクレバーで構成され、且つクランクシャフトが軸受内側に嵌合された後、該軸受が該クランクレバーの一端の収容孔に結合され、該クランクレバーの別端にネジ孔が形成され、ネジでピストンセットとクランクレバーが固定され、該偏心孔にファンの伝動軸が挿通されて偏心駆動軸と結合され、また該ピストンセットは二つのピストン片と該二つのピストン片の間に設けられた中間片で構成され、ネジが以上の部品に通されて偏心駆動軸上に固定される時、二つのピストン片が装置本体の気室口外側面に当接し、気室板体と気室封鎖カバーにより封鎖、固定され、排水装置と室内空気調和機が一対多の構造である時、該装置本体の二つの対向側にそれぞれ気室口が形成され、各気室口にそれぞれピストンセットが取り付けられ、並びにそれぞれ気室板体と気室封鎖カバーで封鎖固定され、ファンの伝動軸と組み合わされた偏心駆動軸は一つのクランクシャフトと二つのクランクレバーで構成され、クランクシャフトの二端にそれぞれ偏心孔が設けられ、ファンの伝動軸が挿通され、この二つの偏心孔の外側に軸受が嵌合され、二つのクランクレバーが対応する軸受外周に嵌合され、各クランクレバーの別端にネジ孔が設けられ、ネジがピストンセットに通された後に該ネジ孔に結合され、これによりファンが運転する時に二つのピストンセットが駆動され、排水装置と室内空気調和機の一対多の関係を以て、室内空気調和機の発生する凝結水を排出することを特徴とする、分離式クーラーの排水システム。
【請求項４】
室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該室外機内に圧縮システムと冷却用のファンが設けられ、且つ該ファンの伝動軸が外向きに所定長さ突出して排水装置との組合せに用いられ、
該室内空気調和機は室外機の間に冷源を輸送する管路が設けられ、該排水装置との間に凝結水を排出する排水管が設けられ、
該排水装置は一側がファンの伝動軸と結合され、その抽水動作に必要な動力がファンモータにより提供され、且つ必要により室内空気調和機と一対一或いは一対多の接続を形成し、該排水装置は装置本体、少なくとも一つのピストンセット、気室板体及び気室封鎖カバーを包含し、
該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、
該偏心駆動軸は偏心孔を具えたクランクシャフトとクランクレバーで構成され、該偏心孔にファンの伝動軸が挿通されて結合され、且つ該クランクシャフトが軸受内側に嵌合された後、該軸受がクランクレバーの一端の収容孔に結合され、該クランクレバーの別端にネジ孔が形成されて、ピストンセットが螺子止めされ、
該ピストンセットは二つのピストン片と該二つのピストン片の間に設けられた中間片で構成され、ネジでクランクレバーのネジ孔に固定され、
該気室板体及び気室封鎖カバーは相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、これら入気孔と出気孔の開閉が制御され、気室封鎖カバーにあってこれら入気孔と出気孔に対応する部分に、別に入水接続部と出水接続部が凸設されて外向きに延伸され、それぞれ排水管の別端と嵌合され、
ファン運転時に、ピストンセットが駆動されてポンプ式圧縮動力を発生し、これにより室内空気調和機の発生した凝結水が外向きに排出され、排水装置の作動に必要な動力がファンモータにより提供されて、排水装置の構造の簡易化と、電力の節約を達成することを特徴とする、分離式クーラーの排水システム。
【考案の詳細な説明】
【技術分野】
【０００１】
本考案はクーラーの技術領域に係り、特にクーラーの排水装置の動力の伝動構造に関する。
【背景技術】
【０００２】
冷却空気調和器、即ちクーラーは現在、家庭、オフィスで配備が必要な家電であり、このため各種の異なる環境と要求に対応する空気調和器が発展し、例えば窓取り付け型クーラー、分離式クーラー及び移動式クーラーがある。しかし、どのようなクーラーであっても、冷却管と熱排出管の熱交換原理により冷気送出の効果を達成する。このような使用過程で、冷却管は不断に水分を凝結させ、このためどのようなクーラーであっても冷却水排出の設計が必要である。【０００３】
そのうち、分離式クーラーについては、伝統的な分離式クーラーの室内空気調和機の排水装置は直接排水管で排水を排出するものとされるが、水は下に流れるため、室内空気調和機を取り付ける時は、室内空気調和機の高さを、排水管が順調に排水を下に流出させられるように考慮しなければならない。このため室内空気調和機の取り付けは相当な制限を受け、更には室内のインテリア設計にも影響を与え、且つ排水管も適切に配置されず、外観に悪影響を及ぼす。このような問題を解決するため、本出願人は、特許文献１において分離式クーラーの冷水内蔵自動排水装置を提供しており、それは、室内空気調和機の一側に排水管に接続された貯水箱が設置され、並びに該貯水箱内に抽水モータと水位検知器が設置され、送水管が貯水箱に接続されて該送水管により排水を室外に排出するよう構成されている。このような設計は、排水管が下向きに傾斜していなければ冷却溝を排出できない問題を解決するが、騒音と室内美観上の問題を発生する。【０００４】
周知の技術によると、抽水モータが室内空気調和機内に取り付けられているため、モータが運転する時、多少の騒音が発生し（特に夜間には響く）、「静音」を強調した分離式クーラーの使用上の欠点の一つを形成し、また、抽水モータが室内空気調和機に設けられているため、排水管を室外に引き出せない時には、室内に集水タンクを設置しなければならず、外観が悪くなり、また管路の配置の不便を形成する。いわゆる分離式クーラーで抽水機が室外に設けられて、抽水モータの運転により室内機が発生した凝結排水を室外に抽出排出するものもあるが、一般に室外の抽水機は動力源（即ち抽水モータ）を具備しなければ排水動作が行えず、このような抽水機の取り付け上の空間、及び組立製造とエネルギー使用のコストは増加し、最良の設計構造とはいえない。【０００５】
次に、環境保護意識の台頭と法律の制限に対応し、別の所謂「不滴水」の構造、例えば、特許文献２の不滴水の分離式空気調和装置、及び特許文献３の不滴水分離式クーラーが提供されている。特許文献２、３に用いられている技術手段は、導水管路を利用し、室内機の発生した凝結水を室外機内に排出し保存し、並びにファンの送風により凝結水を冷却端に送り蒸発させ、これにより凝結排水の室外への排出を不要として凝結水排出の問題を解決している。【０００６】
ただしこの二つの特許文献の技術は、凝結水を順調に室外機に送るために、組立上、室内機を室外機の上方に設ける必要があり、これにより凝結水が水管を通り上から下に集水タンク内に滴下し、集水タンク内の凝結水が一定高さになった時に、ファンが回転して水を撥ね飛ばすと共に、送風により冷却端に送る。この周知の二つの特許は、使用上、不滴水の目的を達成するが、室内機の取り付け上、室外機の上方に設ける必要があるため、使用者の取り付け上の制限を形成し、且つ室内機を室内の適所に取り付けたとしても、室外機取り付けの位置と異なる平面に位置するとき、凝結水の輸送は更に不便となる。【０００７】
【特許文献１】台湾特許公告第４４０６７２号明細書
【特許文献２】台湾特許公告第５２１８３１号明細書
【特許文献３】台湾特許公告第５４５５５９号明細書
【考案の開示】
【考案が解決しようとする課題】
【０００８】
本考案の主要な目的は、一種の分離式クーラーの静音排水システムを提供することにあり、それは、クーラーの凝結水の排出に不外滴、静音、自動排水の特徴を具備させると共に、抽水動作の動力源を室外機より提供し、取り付け空間とエネルギーコストを節約できるようにしたものとする。【０００９】
上述の目的を達成するため、本考案は少なくとも、室外機、室外機に接続された一組或いは一組以上の室内空気調和機、及び、排水抽出排出に用いられる排水装置で構成されている。そのうち、室外機内に圧縮機システムと冷却用のファンが設けられ、該ファンの伝動軸が外向きに突出して該排水装置と組み合わされ、該排水装置の抽水動作に必要な動力がファンモータより提供される。該排水装置は装置本体、及び少なくとも一つのピストンセット、気室板体及び気室封鎖カバーで構成され、該装置本体の隣接する二側面の外側にファンの伝動軸を取り付ける軸置孔と、該ピストンセットを設置する気室口が設けられ、また、該伝動軸とピストンセットの間に偏心駆動軸が接続され、該ファンが回転する時に該ピストンセットを駆動して作動させる。該気室板体と気室封鎖カバーは相互に重なるように該装置本体の気室口外側に螺子止めされ、該気室板体にあって、該気室口に対応する位置に、複数の入気孔と出気孔が設けられ、並びにこれら入気孔と気室封鎖カバーの間に入気口片が設けられ、これら出気口とピストンセットの間に出気口片が設けられ、且つ該気室封鎖カバーのこれら入気孔と出気孔に対応する位置に、別に入水接続部と出水接続部が凸設されて外向きに延伸されてそれぞれ排水管の一端と嵌合され、排水管の別端が室内空気調和機に接続されている。これにより、ファンが運転する時、同期にピストンを駆動してポンプ式抽水動作を行わせ、これにより室内空気調和機が発生した凝結水を外向きに排出し、更に抽水装置作動に必要な動力をファンモータより提供し、これにより静音排水及び簡単な排水装置の構造、及び電力節約を達成する。
【課題を解決するための手段】
【００１０】
請求項１の考案は、室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該排水装置が該ファンの伝動軸と結合されて、その抽水動作に必要な動力がファンモータにより提供され、これにより排水装置の構造が簡易化され、並びに電力を節約することを特徴とする、分離式クーラーの排水システムとしている。
請求項２の考案は、請求項１記載の分離式クーラーの排水システムにおいて、排水装置と室内空気調和機の間に排水管が設けられ、必要により室内空気調和機との間に一対一或いは一対多の接続関係を形成し、該排水装置は装置本体、少なくとも一つのピストンセット、気室板体、及び、気室封鎖カバーを包含し、該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、該気室板体及び気室封鎖カバーが相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、且つ気室封鎖カバーにあって、これら入気孔と出気孔に対応する部分に、別に入水接続部と出水接続部が凸設されて外向きに延伸され、それぞれ排水管の一端と嵌合され、排水管の別端が室内空気調和機に接続され、これによりピストンセットがファンの運転により動作する時、ポンプ式圧縮動力を発生し、これにより室内空気調和機の発生した凝結水を外向きに排出することを特徴とする、分離式クーラーの排水システムとしている。
請求項３の考案は、請求項２記載の分離式クーラーの排水システムにおいて、排水装置と室内空気調和機の間が一対一の構造である時、偏心駆動軸が偏心孔を具えたクランクシャフトとクランクレバーで構成され、且つクランクシャフトが軸受内側に嵌合された後、該軸受が該クランクレバーの一端の収容孔に結合され、該クランクレバーの別端にネジ孔が形成され、ネジでピストンセットとクランクレバーが固定され、該偏心孔にファンの伝動軸が挿通されて偏心駆動軸と結合され、また該ピストンセットは二つのピストン片と該二つのピストン片の間に設けられた中間片で構成され、ネジが以上の部品に通されて偏心駆動軸上に固定される時、二つのピストン片が装置本体の気室口外側面に当接し、気室板体と気室封鎖カバーにより封鎖、固定され、排水装置と室内空気調和機が一対多の構造である時、該装置本体の二つの対向側にそれぞれ気室口が形成され、各気室口にそれぞれピストンセットが取り付けられ、並びにそれぞれ気室板体と気室封鎖カバーで封鎖固定され、ファンの伝動軸と組み合わされた偏心駆動軸は一つのクランクシャフトと二つのクランクレバーで構成され、クランクシャフトの二端にそれぞれ偏心孔が設けられ、ファンの伝動軸が挿通され、この二つの偏心孔の外側に軸受が嵌合され、二つのクランクレバーが対応する軸受外周に嵌合され、各クランクレバーの別端にネジ孔が設けられ、ネジがピストンセットに通された後に該ネジ孔に結合され、これによりファンが運転する時に二つのピストンセットが駆動され、排水装置と室内空気調和機の一対多の関係を以て、室内空気調和機の発生する凝結水を排出することを特徴とする、分離式クーラーの排水システムとしている。
請求項４の考案は、室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該室外機内に圧縮システムと冷却用のファンが設けられ、且つ該ファンの伝動軸が外向きに所定長さ突出して排水装置との組合せに用いられ、
該室内空気調和機は室外機の間に冷源を輸送する管路が設けられ、該排水装置との間に凝結水を排出する排水管が設けられ、
該排水装置は一側がファンの伝動軸と結合され、その抽水動作に必要な動力がファンモータにより提供され、且つ必要により室内空気調和機と一対一或いは一対多の接続を形成し、該排水装置は装置本体、少なくとも一つのピストンセット、気室板体及び気室封鎖カバーを包含し、
該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、
該偏心駆動軸は偏心孔を具えたクランクシャフトとクランクレバーで構成され、該偏心孔にファンの伝動軸が挿通されて結合され、且つ該クランクシャフトが軸受内側に嵌合された後、該軸受がクランクレバーの一端の収容孔に結合され、該クランクレバーの別端にネジ孔が形成されて、ピストンセットが螺子止めされ、
該ピストンセットは二つのピストン片と該二つのピストン片の間に設けられた中間片で構成され、ネジでクランクレバーのネジ孔に固定され、
該気室板体及び気室封鎖カバーは相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、これら入気孔と出気孔の開閉が制御され、気室封鎖カバーにあってこれら入気孔と出気孔に対応する部分に、別に入水接続部と出水接続部が凸設されて外向きに延伸され、それぞれ排水管の別端と嵌合され、
ファン運転時に、ピストンセットが駆動されてポンプ式圧縮動力を発生し、これにより室内空気調和機の発生した凝結水が外向きに排出され、排水装置の作動に必要な動力がファンモータにより提供されて、排水装置の構造の簡易化と、電力の節約を達成することを特徴とする、分離式クーラーの排水システムとしている。
【考案の効果】
【００１１】
本考案の分離式クーラーの静音排水システムは、クーラーの凝結水の排出に不外滴、静音、自動排水の特徴を具備させると共に、抽水動作の動力源を室外機より提供し、取り付け空間とエネルギーコストを節約できる。
【考案を実施するための最良の形態】
【００１２】
図１〜図９に示されるように、本考案の分離式クーラーの排水システムは、室外機１０、室外機１０に接続された一組或いは一組以上の室内空気調和機２０、及び、室内空気調和機２０内の凝結排水の抽出排出に用いられる排水装置３０で構成されている。【００１３】
そのうち、室外機１０内に熱交換機９１等の部品で構成された圧縮機９０、及び圧縮機９０に対する冷却用のファン８０が設けられ、該ファン８０はファンモータ８１内側に伝動軸８２が凸設され、伝動軸８２の一端に羽根８３が組み合わされ、別端に排水装置３０が組み合わされている。【００１４】
該室内空気調和機２０の構造は一般に周知の構造と同じであり、その内部の蒸発管２１下方に集水トレイ２２が設けられ、該集水トレイ２２に導水管２２１が凸設され、該導水管２２１の端部に延伸された導水副管２２２が接続され、該導水副管２２２外端に外向きに延伸された排水管４３が接続され、該排水管４３の別端は排水装置３０に接続されて、室内空気調和機２０が発生した凝結水を室外機１０内の貯水タンク部分に送る。水位検知器６０が集水トレイ２２と接続された導水副管２２２内に設けられ、室内空気調和機２０内の行且つ水が一定水位に達した時、該水位検知器６０が検出して排水装置３０を駆動して運転させ、反対に、凝結水の水位が水位検知器６０の設定水位より低い時、該排水装置３０は運転しない。このほか、室外機１０と室内空気調和機２０の間に別に冷媒を輸送する送入管４１及び復流管４２が接続されている。【００１５】
該排水装置３０は一側がファン８０の伝動軸８２と結合され、その抽水動作が必要とする動力がファンモータ８１より提供され、使用の必要により室内空気調和機２０と一対一或いは一体多を呈するように接続される。該排水装置３０は装置本体３１、及び、少なくとも一つのピストンセット３２、偏心駆動軸３３、気室板体３４、及び気室封鎖カバー３５で構成されている。【００１６】
該装置本体３１は、その内側に中空収容室３１１が形成され、その二つの隣接面の外側に軸置孔３１２と気室口３１３が設けられ、該軸置孔３１２にファン８０の伝動軸８２が挿通され、該中空収容室３１１内の偏心駆動軸３３と組み合わされ、該気室口３１３部分にピストンセット３２が設置される。【００１７】
該ピストンセット３２は二つのピストン片３２１及び二つのピストン片３２１の間の中間片３２２で構成され、該二つのピストン片３２１は弾性塑性片体とされ、該中間片３２２は略凸字形の金属片体とされ、ネジ３２３がこれらの部品に通された後に、該偏心駆動軸３３と固定結合される。【００１８】
該偏心駆動軸３３はクランクシャフト３３１、クランクレバー３３２及び軸受３３３で構成され、該クランクシャフト３３１内側に偏心孔３３１１が設けられてファン８０の伝動軸８２が嵌入され、更に該軸受３３３がクランクシャフト３３１外周に嵌合され、該クランクレバー３３２の一端に比較的大径の収容孔３３２１が形成されて軸受３３３が嵌合されたクランクシャフト３３１が組み合わされ、該クランクレバー３３２の別端にネジ孔３３２２が設けられて、ピストンセット３２のネジ３２３が螺合される。【００１９】
該気室板体３４は該装置本体３１の気室口３１３外側に当接する塊体とされ、その相互に対応する外側面に該ピストン片３２１を圧迫する圧接部３４１が凸設され、且つその板面を貫通するように、複数の入気孔３４２と出気孔３４３が離間設置され、これら入気孔３４２と出気孔３４３の間に別に位置決め孔３４４が設けられて、入気口片５１と出気口片５２の嵌合定位に供され、該入気口片５１の一端に位置決め部５１１が設けられてこれら入気孔３４２間の位置決め孔３４４内に嵌合固定され、且つその大円径部は該気室板体３４と気室封鎖カバー３５の間に位置し、これら入気孔３４２の開閉制御に供される。該出気口片５２も同様に、その一端に位置決め部５２１が凸設されて、これら出気孔３４３間の位置決め孔３４４内に嵌合定位され、且つその大円径部は該ピストン片３２１と気室封鎖カバー３５の間に位置し、これら出気孔３４３の開閉制御に用いられる。【００２０】
該気室封鎖カバー３５は、該気室板体３４の外側に重なるように設けられ、並びに複数のネジ５３で該装置本体３１に固定され、その内側板面の、これら入気孔３４２と出気孔３４３に対応する位置に、入水口３５１と出水口３５２が設けられ、且つ該入水口３５１と出水口３５２に、入水接続部３５１１と出水接続部３５２１が外側に延伸されるよう凸設されて排水管４３の一端との嵌合に供される。【００２１】
これにより、上述の構造により、ファン８０が運転する時、同期にピストンセット３２を駆動してポンプ式抽水動作を行わせ、室内空気調和機２０の発生する凝結水を外に排出し、室内の干渉騒音の発生を防止し、分離式クーラーの静音運転の効果を達成すると共に、該排水装置３０の作動に必要な動力をファンモータ８１より提供し、簡単な構成と電力の節約を達成する。【００２２】
図８及び図９に示されるように、本考案の排水装置３０と室内空気調和機２０の間が一対多の使用形態とされる時、該装置本体３１の二つの対向側にそれぞれ気室口３１３が形成され、各気室口３１３にそれぞれピストンセット３２が組み合わされ、並びに気室板体３４と気室封鎖カバー３５により固定され、ファン８０の伝動軸８２と組み合わされた偏心駆動軸３３がクランクシャフト３３１と二つのクランクレバー３３２で構成され、該クランクシャフト３３１の二端に偏心孔３３１１が設けられて伝動軸８２が挿通され、この二つの偏心孔３３１１の外周に更に軸受３３３が嵌合され、二つのクランクレバー３３２の一端の収容孔３３２１が対応する軸受３３３の外周に嵌合され結合される。この二つのクランクレバー３３２とピストンセット３２の間はネジ３２３で螺子止めされ、これによりファン８０が運転する時、同期に該二つのピストンセット３２が駆動されて作動し、これにより一対多の凝結水排出の目的が達成される。【００２３】
このほか、本考案の偏心駆動軸３３は一対多の構造設計にあって、その構成要件である二つのクランクレバー３３２が一体成形構造とされ得て、クランクシャフト３３１もまた一体成形構造とされ得て、該クランクシャフト３３１の構造は対応する変化を有し、図１０に示されるように、該クランクシャフト３３１の二端に二つのピストンセット３２が結合され、中段に結合軸孔３３２３が形成され、クランクシャフト３３１の一端より突出する偏心軸３３１２が軸受３３３の嵌合の後に結合軸孔３３２３中に挿入され、該クランクシャフト３３１の別側に伝動軸８２の組合せに供される偏心孔３３１１があり、これにより、ファン８０の運転時に、該クランクシャフト３３１の駆動により二つのピストンセット３２が作動する。【００２４】
更に図４、５を参照されたい。以下に本考案の排水装置の凝結水排出の詳細な動作情況について説明する。ファン８０が運転開始して同期にピストンセット３２を駆動する時、クランクシャフト３３１が偏心構造であるため、ピストンセット３２のピストン片３２１が往復式の張る、吸うの圧縮動作を発生し、図５に示されるように、ピストン片３２１が吸気動作を行う時、室内空気調和機２０の凝結水を吸い取り、同時に入気口片５１があるギャップを移動させられ、これにより入気孔３４２が開放状態を呈し、凝結水がこれら入気孔３４２より該装置本体３１内に流入し、ピストン片３２１が反対方向に張る吐気動作を形成する時、該入気口片５１は押動されて移動し該入気孔３４２を閉じ、同時に出気口片５２があるギャップを移動し、これにより出気孔３４３が開放状態を呈し、凝結水がこれら出気孔３４３より外に流出し、凝結水排出の目的が達成される。【００２５】
以上の説明から分かるように、本考案は確実に特許の要件を具えている。
【図面の簡単な説明】
【００２６】
【図１】本考案の第１実施例の全体組合せ表示図である。
【図２】本考案の室内空気調和機の内部構造表示図である。
【図３】本考案の一対一型排水装置の立体分解図である。
【図４】本考案の排水装置の組合せ断面図である。
【図５】本考案の排水装置の別の動作組合せ断面実施例図である。
【図６】本考案の第２実施例の全体組合せ表示図である。
【図７】本考案の一対二型排水装置と室外機の結合の立体図である。
【図８】本考案の一対二型排水装置の立体分解図である。
【図９】本考案の一対二型排水装置の組合せ断面図である。
【図１０】本考案の一対二型排水装置の偏心駆動軸の別の実施例表示図である。
【符号の説明】
【００２７】
１０  室外機                  ２０  室内空気調和機
２１  蒸発管                  ２２  集水トレイ
２２１  導水管                ２２２  導水副管
３０  排水装置                ３１  装置本体
３１１  収容室                ３１２  軸置孔
３１３  気室口                ３２  ピストンセット
３２１  ピストン片            ３２２  中間片
３２３  ネジ                ３３  偏心駆動軸
３３１  クランクシャフト      ３３１１  偏心孔
３３１２  偏心軸              ３３２  クランクレバー
３３２１  収容孔              ３３２２  ネジ孔
３３２３  結合軸孔            ３３３  軸受
３４  気室板体                ３４１  圧接部
３４２  入気孔                ３４３  出気孔
３４４  位置決め孔            ３５  気室封鎖カバー
３５１  入水口                ３５１１  入水接続部
３５２  出水口                ３５２１  出水接続部
４１  送入管                  ４３  排水管
４２  復流管                  ５１  入気口片
５１１  位置決め部            ５２  出気口片
５２１  位置決め部            ５３  ネジ
６０  水位検知器              ８０  ファン
８１  ファンモータ            ８２  伝動軸
８３  羽根                    ９１  熱交換機
９０  圧縮機
【図１】
0003146085.tif 000003
【図２】
0003146085.tif 000004
【図３】
0003146085.tif 000005
【図４】
0003146085.tif 000006
【図５】
0003146085.tif 000007
【図６】
0003146085.tif 000008
【図７】
0003146085.tif 000009
【図８】
0003146085.tif 000010
【図９】
0003146085.tif 000011
【図１０】
0003146085.tif 000012
【手続補正書】
【提出日】平成20年9月1日(2008.9.1)
【手続補正１】
【補正対象書類名】実用新案登録請求の範囲
【補正対象項目名】請求項１
【補正方法】変更
【補正の内容】
【請求項１】
室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該排水装置が該ファンの伝動軸と結合されて、その抽水動作に必要な動力がファンモータにより提供されることを特徴とする、分離式クーラーの排水システム。
【手続補正２】
【補正対象書類名】明細書
【補正対象項目名】００１０
【補正方法】変更
【補正の内容】
【００１０】
請求項１の考案は、室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該排水装置が該ファンの伝動軸と結合されて、その抽水動作に必要な動力がファンモータにより提供されることを特徴とする、分離式クーラーの排水システムとしている。
請求項２の考案は、請求項１記載の分離式クーラーの排水システムにおいて、排水装置と室内空気調和機の間に排水管が設けられ、必要により室内空気調和機との間に一対一或いは一対多の接続関係を形成し、該排水装置は装置本体、少なくとも一つのピストンセット、気室板体、及び、気室封鎖カバーを包含し、該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、該気室板体及び気室封鎖カバーが相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、且つ気室封鎖カバーにあって、これら入気孔と出気孔に対応する部分に、別に入水接続部と出水接続部が凸設されて外向きに延伸され、それぞれ排水管の一端と嵌合され、排水管の別端が室内空気調和機に接続され、これによりピストンセットがファンの運転により動作する時、ポンプ式圧縮動力を発生し、これにより室内空気調和機の発生した凝結水を外向きに排出することを特徴とする、分離式クーラーの排水システムとしている。
請求項３の考案は、請求項２記載の分離式クーラーの排水システムにおいて、排水装置と室内空気調和機の間が一対一の構造である時、偏心駆動軸が偏心孔を具えたクランクシャフトとクランクレバーで構成され、且つクランクシャフトが軸受内側に嵌合された後、該軸受が該クランクレバーの一端の収容孔に結合され、該クランクレバーの別端にネジ孔が形成され、ネジでピストンセットとクランクレバーが固定され、該偏心孔にファンの伝動軸が挿通されて偏心駆動軸と結合され、また該ピストンセットは二つのピストン片と該二つのピストン片の間に設けられた中間片で構成され、ネジが以上の部品に通されて偏心駆動軸上に固定される時、二つのピストン片が装置本体の気室口外側面に当接し、気室板体と気室封鎖カバーにより封鎖、固定され、排水装置と室内空気調和機が一対多の構造である時、該装置本体の二つの対向側にそれぞれ気室口が形成され、各気室口にそれぞれピストンセットが取り付けられ、並びにそれぞれ気室板体と気室封鎖カバーで封鎖固定され、ファンの伝動軸と組み合わされた偏心駆動軸は一つのクランクシャフトと二つのクランクレバーで構成され、クランクシャフトの二端にそれぞれ偏心孔が設けられ、ファンの伝動軸が挿通され、この二つの偏心孔の外側に軸受が嵌合され、二つのクランクレバーが対応する軸受外周に嵌合され、各クランクレバーの別端にネジ孔が設けられ、ネジがピストンセットに通された後に該ネジ孔に結合され、これによりファンが運転する時に二つのピストンセットが駆動され、排水装置と室内空気調和機の一対多の関係を以て、室内空気調和機の発生する凝結水を排出することを特徴とする、分離式クーラーの排水システムとしている。
請求項４の考案は、室外機、該室外機と接続された一組或いは一組以上の室内空気調和機、排水の抽出排出用の排水装置を包含し、該室外機内に圧縮機システムと冷却用のファンが設けられた分離式クーラーの排水システムにおいて、
該室外機内に圧縮システムと冷却用のファンが設けられ、且つ該ファンの伝動軸が外向きに所定長さ突出して排水装置との組合せに用いられ、
該室内空気調和機は室外機の間に冷源を輸送する管路が設けられ、該排水装置との間に凝結水を排出する排水管が設けられ、
該排水装置は一側がファンの伝動軸と結合され、その抽水動作に必要な動力がファンモータにより提供され、且つ必要により室内空気調和機と一対一或いは一対多の接続を形成し、該排水装置は装置本体、少なくとも一つのピストンセット、気室板体及び気室封鎖カバーを包含し、
該装置本体は、その二つの隣接する外側にファンの伝動軸を取り付ける軸置孔と、該ピストンセットを設置する気室口が設けられ、該伝動軸とピストンセットの間に偏心駆動軸が設けられ、該ファンが回転時にピストンセットを駆動して作動させ、
該偏心駆動軸は偏心孔を具えたクランクシャフトとクランクレバーで構成され、該偏心孔にファンの伝動軸が挿通されて結合され、且つ該クランクシャフトが軸受内側に嵌合された後、該軸受がクランクレバーの一端の収容孔に結合され、該クランクレバーの別端にネジ孔が形成されて、ピストンセットが螺子止めされ、
該ピストンセットは二つのピストン片と該二つのピストン片の間に設けられた中間片で構成され、ネジでクランクレバーのネジ孔に固定され、
該気室板体及び気室封鎖カバーは相互に重なるように該装置本体の該気室口の外側に螺子止めされ、該気室板体にあって該気室口に対応する位置に複数の入気孔と出気孔が設けられ、並びにこれら入気孔と気室封鎖カバーの間に入気口片が設けられ、これら出気孔とピストンセットの間に出気口片が設けられ、これら入気孔と出気孔の開閉が制御され、気室封鎖カバーにあってこれら入気孔と出気孔に対応する部分に、別に入水接続部と出水接続部が凸設されて外向きに延伸され、それぞれ排水管の別端と嵌合され、
ファン運転時に、ピストンセットが駆動されてポンプ式圧縮動力を発生し、これにより室内空気調和機の発生した凝結水が外向きに排出され、排水装置の作動に必要な動力がファンモータにより提供されて、排水装置の構造の簡易化と、電力の節約を達成することを特徴とする、分離式クーラーの排水システムとしている。